(57)【要約】【課題】ゴムの流れを防止して電線に対するシール性を保持する。【解決手段】本発明のコネクタ１０は、ハウジング２０と、端子金具３０と、複数の電線４０と、電線４０の外周面に密着する複数条の内周リップ５２を有し、複数のキャビティ２３を横切る配置でハウジング２０に装着されて複数のキャビティ２３を一括してシールする一括ゴム栓５０と、ハウジング２０の後端部に装着されて一括ゴム栓５０を保持するホルダ６０と、一括ゴム栓５０の各ずれ防止溝５４に差し込まれて同一括ゴム栓５０が電線４０の引き出し方向と交差する方向にずれることを防ぐ各ずれ防止壁２７、６５とを備え、複数条の内周リップ５２の全頂点は、各ずれ防止壁２７、６５に対して電線４０の引き出し方向と交差する方向に重なるようにして配されている構成としたところに特徴を有する。【選択図】図６
2014063683.tif 000002
【特許請求の範囲】
【請求項１】
複数のキャビティが形成されたハウジングと、
前記複数のキャビティにそれぞれ収容された複数の端子金具と、
前記複数の端子金具にそれぞれ接続されて前記キャビティから前記ハウジングの後方に引き出された複数の電線と、
前記電線の外周面に密着する複数条の内周リップを有し、前記複数のキャビティを横切る配置で前記ハウジングに装着されて前記複数のキャビティを一括してシールする一括ゴム栓と、
前記ハウジングの後端部に装着されて前記一括ゴム栓を保持するホルダと、
前記一括ゴム栓の内部に差し込まれて同一括ゴム栓が前記電線の引き出し方向と交差する方向にずれることを防ぐずれ防止部とを備え、
前記複数条の内周リップの全頂点は、前記ずれ防止部に対して前記電線の引き出し方向と交差する方向に重なるようにして配されていることを特徴とするコネクタ。
【請求項２】
前記ずれ防止部は、前記ハウジングの後面から後方に突出して設けられた前側ずれ防止壁と、前記ホルダの前面から前方に突出して設けられた後側ずれ防止壁とからなり、
前記一括ゴム栓の前後両面に開設された前後一対のずれ防止溝に前記前側ずれ防止壁と前記後側ずれ防止壁とが差し込まれることを特徴とする請求項１に記載のコネクタ。
【請求項３】
前記複数のキャビティは、上下左右に並んで配されており、
前記ずれ防止部は、上下方向に並んで配された一対の前記キャビティを区画する隔壁と対応する位置、および左右方向に並んで配された一対の前記キャビティを区画する隔壁と対応する位置に配されていることを特徴とする請求項２に記載のコネクタ。
【請求項４】
左右方向に並んで配された一対の前記キャビティの間には、一つの前記ずれ防止部が配され、上下方向に並んで配された一対の前記キャビティの間には、一対の前記ずれ防止部が配されていることを特徴とする請求項３に記載のコネクタ。
【発明の詳細な説明】
【技術分野】
【０００１】
本発明は、複数の電線を一括してシールする一括ゴム栓を備えたコネクタに関する。
【背景技術】
【０００２】
この種のコネクタとして、例えば下記特許文献１に記載のものが知られている。一般に多極コネクタにおいては、端子金具を一本ずつキャビティに挿入していくと、一括ゴム栓の貫通孔の位置が少しずつ中心からずれていくことが知られており、この対策として上記のコネクタでは、ハウジングおよびホルダにずれ防止用の壁をそれぞれ設け、これらの壁を貫通孔の周囲に形成された溝に差し込むことにより貫通孔の位置ずれを防止している。この一括ゴム栓は、外周リップが形成された大径部分と、この大径部分の両側に突出した小径部分とから構成されており、ずれ防止用の壁は、小径部分のみに形成されている。
【先行技術文献】
【特許文献】
【０００３】
【特許文献１】特開２００８−３００３１８号公報
【発明の概要】
【発明が解決しようとする課題】
【０００４】
すなわち、上記のずれ防止用の壁は、大径部分においては、ずれ防止用の壁と内周リップが、電線の軸方向と交差する方向に重なる配置とされていないため、電線の外周面に対する内周リップの密着力を十分に得ることができない。例えば、一本の端子金具のみをキャビティに挿入した場合に、電線の外周面に押圧されたゴムが当該電線が挿入された貫通孔の隣に配された貫通孔に流れてしまい、電線の外周面に対する内周リップの密着力が十分に得られない。したがって、電線の外周面と内周リップの間のシール性が低下してしまう。
【０００５】
本発明は上記のような事情に基づいて完成されたものであって、一括ゴム栓の位置ずれを防止しつつ、全ての内周リップの電線に対するシール性を保持することを目的とする。
【課題を解決するための手段】
【０００６】
本発明のコネクタは、複数のキャビティが形成されたハウジングと、複数のキャビティにそれぞれ収容された複数の端子金具と、複数の端子金具にそれぞれ接続されてキャビティからハウジングの後方に引き出された複数の電線と、電線の外周面に密着する複数条の内周リップを有し、複数のキャビティを横切る配置でハウジングに装着されて複数のキャビティを一括してシールする一括ゴム栓と、ハウジングの後端部に装着されて一括ゴム栓を保持するホルダと、一括ゴム栓の内部に差し込まれて同一括ゴム栓が電線の引き出し方向と交差する方向にずれることを防ぐずれ防止部とを備え、複数条の内周リップの全頂点は、ずれ防止部に対して電線の引き出し方向と交差する方向に重なるようにして配されている構成としたところに特徴を有する。
【０００７】
このような構成によると、端子金具をキャビティに挿入した場合に、ずれ防止部によって、一括ゴム栓が電線の引き出し方向と交差する方向にずれることを防止できる。さらに、複数条の内周リップの全頂点は、ずれ防止部に対して電線の引き出し方向と交差する方向に重なるようにして配されているため、電線の外周面によって押圧されたゴムが当該電線が挿入された貫通孔の隣に配された貫通孔に流れることを防止できる。したがって、電線の外周面に対する全ての内周リップの密着力を十分に得ることができ、全ての内周リップの電線に対するシール性を保持することができる。
【０００８】
本発明の実施の態様として、以下の構成が好ましい。
ずれ防止部は、ハウジングの後面から後方に突出して設けられた前側ずれ防止壁と、ホルダの前面から前方に突出して設けられた後側ずれ防止壁とからなり、一括ゴム栓の前後両面に開設された前後一対のずれ防止溝に前側ずれ防止壁と後側ずれ防止壁とが差し込まれる構成としてもよい。
このような構成によると、前側ずれ防止壁をずれ防止溝に前方から差し込むとともに、後側ずれ防止壁をずれ防止溝に後方から差し込むことにより、一括ゴム栓を前後両側から保持することができる。
【０００９】
複数のキャビティは、上下左右に並んで配されており、ずれ防止部は、上下方向に並んで配された一対のキャビティを区画する隔壁と対応する位置、および左右方向に並んで配された一対のキャビティを区画する隔壁と対応する位置に配されている構成としてもよい。
このような構成によると、上下左右に隣り合う電線が最も接近する位置にずれ防止部を設けているから、一括ゴム栓の位置ずれを効率良く阻止することができる。
【００１０】
左右方向に並んで配された一対のキャビティの間には、一つのずれ防止部が配され、上下方向に並んで配された一対のキャビティの間には、一対のずれ防止部が配されている構成としてもよい。
このような構成によると、左右方向に隣り合う一対のキャビティ間ピッチを小さくすることができ、左右方向により多くのキャビティを配設することができる。
【発明の効果】
【００１１】
本発明によれば、ゴム栓の位置ずれを防止しつつ、全ての内周リップの電線に対するシール性を保持することができる。
【図面の簡単な説明】
【００１２】
【図１】ハウジングに一括ゴム栓を組み付けた後の状態を正面から見た図
【図２】ハウジングに一括ゴム栓を組み付けた後の状態を背面から見た図
【図３】ハウジングに一括ゴム栓を組み付ける前の状態を右側方から見た断面図
【図４】図２のＡ−Ａ線断面図であって、ハウジングに一括ゴム栓を組み付けてホルダで保持し、かつ、フロントリテーナを仮係止位置に装着した後の状態を右側方から見た断面図
【図５】図４の状態から端子金具をキャビティに挿入した後の状態を右側方から見た断面図
【図６】図５の状態からフロントリテーナを本係止位置に装着した後の状態を右側方から見た断面図
【図７】ハウジングの背面図
【図８】一括ゴム栓の正面図
【図９】ホルダの正面図
【図１０】ホルダの右側面図
【発明を実施するための形態】
【００１３】
＜実施形態＞
本発明の実施形態を図１ないし図１０の図面を参照しながら説明する。本実施形態のコネクタ１０は、図５に示すように、合成樹脂製のハウジング２０、このハウジング２０の内部に保持された端子金具３０、この端子金具３０に接続された電線４０、ハウジング２０の後端面に装着された一括ゴム栓５０、この一括ゴム栓５０を保持するホルダ６０などを備えて構成されている。なお、以下の説明において前方とは、図５の左方とし、上下左右方向については図１を基準とする。
【００１４】
ハウジング２０は、略方形のブロック状をなす端子収容部２１、この端子収容部２１を全周に亘って覆うように形成されたフード部２２などを備えている。端子収容部２１の内部には、複数のキャビティ２３が前後方向に貫通して形成されている。キャビティ２３の内部には、片持ち状をなして前方に突出するランス２４が形成されている。このランス２４の基端部は、キャビティ２３の内壁上面に連結されている。ランス２４の上方には、同ランス２４の撓み空間Ｓが形成されており、端子金具３０の挿入に伴ってランス２４が上方に（撓み空間Ｓ側に）撓み可能とされている。
【００１５】
ハウジング２０における端子収容部２１の後方には、一括ゴム栓５０が内部に収容されるゴム栓収容部２５が形成されている。このゴム栓収容部２５は、後方に開口する形態をなしている。また、ハウジング２０における端子収容部２１の上方には、ロックアーム２６が形成されている。このロックアーム２６は、前後方向に延びる形態をなし、端子収容部２１の上面との連結部を中心として前後両端部が上下方向にシーソー状に揺動可能とされている。コネクタ１０を図示しない相手側コネクタに嵌合させると、ロックアーム２６によって両コネクタ１０が正規に嵌合した状態に保持される。
【００１６】
また、端子収容部２１の外周面には、図４に示すように、シールリング７０が嵌着されるようになっている。コネクタ１０が図示しない相手側コネクタと嵌合すると、相手側コネクタの相手側フード部が端子収容部２１とフード部２２との間に進入し、相手側フード部の内周面と端子収容部２１の外周面との間でシールリング７０が挟持されるようになっている。これにより、コネクタ１０と相手側コネクタの間が液密状態でシールされる。
【００１７】
端子金具３０は、図５に示すように、角筒状をなす接続部３１と、この接続部３１の後方に連なるバレル部３２とを備えて構成されている。接続部３１の内部には、図示しない相手側コネクタに設けられた雄端子と接続される弾性接触片が設けられている。バレル部３２は、電線４０の芯線に圧着されるワイヤバレル、電線４０の絶縁被覆に圧着されるインシュレーションバレルなどを備えている。電線４０は、キャビティ２３の後端開口からゴム栓収容部２５を通ってハウジング２０の後方に引き出されている。
【００１８】
端子収容部２１の前端部には、図５および図６に示すように、合成樹脂製のフロントリテーナ８０が装着されている。このフロントリテーナ８０は、図５に示す仮係止位置と、図６に示す本係止位置との間を移動可能とされている。フロントリテーナ８０は、端子収容部２１の前面に沿って配されるフロントマスク８３と、このフロントマスク８３の周縁から後方に立ち上がる外周壁８２とを備えて構成されている。フロントマスク８３の後面には、図５および図６に示すように、複数の撓み防止片８１が立設されている。仮係止位置では、フロントリテーナ８０の後面に立設された撓み防止片８１が撓み空間Ｓの前方に位置してランス２４の自由な撓みを許容するものの、本係止位置では撓み防止片８１が撓み空間Ｓに進入してランス２４の撓みを抑制する。
【００１９】
フロントリテーナ８０が仮係止位置にあるときに、端子金具３０がキャビティ２３に挿入されると、端子金具３０の接続部３１に干渉したランス２４が撓み空間Ｓに移動し、端子金具３０が正規の挿入位置に至ると、接続部３１との干渉が解除されてランス２４が弾性的に復帰する。こうして、ランス２４が接続部３１の後端に後方から係止することで端子金具３０がキャビティ２３に保持される。一方、フロントリテーナ８０が本係止位置にあるときには、撓み防止片８１が撓み空間Ｓに進入しているため、ランス２４の撓みが抑制される。すなわち、端子金具３０は、ランス２４とフロントリテーナ８０の双方によって二重係止状態でキャビティ２３に保持される。また、フロントリテーナ８０の外周壁８２が端子収容部２１の外周面に沿って配されるとともに、外周壁８２の先端がシールリング７０の前縁に沿って配されることにより、シールリング７０の前方への離脱が抑制される。
【００２０】
フロントマスク８３の前面には、図１に示すように、複数の端子挿通孔８４が貫通して形成されている。この端子挿通孔８４は、キャビティ２３の前方に位置して配されており、両コネクタ１０の嵌合時に、相手側コネクタの雄端子が進入可能とされている。フロントマスク８３の前面における端子挿通孔８４の孔縁部には、相手側コネクタの雄端子を端子挿通孔８４に誘導させるすり鉢状の誘導面８５が形成されている。
【００２１】
ゴム栓収容部２５の奥壁には、図７に示すように、複数の前側ずれ防止壁２７が立設されている。この前側ずれ防止壁２７は、キャビティ２３の周囲に複数設けられている。キャビティ２３は、接続部３１およびワイヤバレルを収容する部分においては断面角孔形状とされているものの、インシュレーションバレルを収容する部分においては断面円孔形状とされている。前側ずれ防止壁２７においてキャビティ２３に近い面は、キャビティ２３の内周面のうち断面円孔形状をなす部分とほぼ同形状をなす円弧状とされている。一方、前側ずれ防止壁２７においてキャビティ２３から遠い面も、キャビティ２３に近い面と同じ円弧状とされている。
【００２２】
前側ずれ防止壁２７は、当該キャビティ２３の周囲に隣り合うキャビティ２３が存在する場合に、当該キャビティ２３とこれに隣り合うキャビティ２３との間に配されている。したがって、例えば、最上段のキャビティ２３については、当該キャビティ２３の上側に隣り合うキャビティ２３が存在しないため、最上段のキャビティ２３の上側には前側ずれ防止壁２７が配されていない。一方、最上段のキャビティ２３の下側には、当該キャビティ２３の下側に隣り合うキャビティ２３が存在しているため、最上段のキャビティ２３の下側には、前側ずれ防止壁２７が配されている。
【００２３】
同様に、例えば、最も右側のキャビティ２３については、当該キャビティ２３の右側に隣り合うキャビティ２３が存在しないため、最も右側のキャビティ２３の右側には前側ずれ防止壁２７が配されていない。一方、最も右側のキャビティ２３の左側には、当該キャビティ２３の左側に隣り合うキャビティ２３が存在しているため、最も右側のキャビティ２３の左側には、前側ずれ防止壁２７が配されている。
【００２４】
上下方向に隣り合う一対のキャビティ２３は、広いピッチで並んで配されているため、上下方向に隣り合う一対のキャビティ２３の間には、各キャビティ２３に対応して一対の前側ずれ防止壁２７が上下方向に並んで配されている。一方、左右方向に隣り合う一対のキャビティ２３は、狭いピッチで並んで配されているため、左右方向に隣り合う一対のキャビティ２３の間には、一つの前側ずれ防止壁２７が配されている。換言すると、左右方向に隣り合う一対のキャビティ２３においては、各キャビティ２３に共通となる一つの前側ずれ防止壁２７が配されている。
【００２５】
端子収容部２１の後端部には、図５および図６に示すように、合成樹脂製のホルダ６０が装着されている。ホルダ６０は、ゴム栓収容部２５の開口を塞ぐように配される蓋部６１と、この蓋部６１の周縁から前方に立ち上がる装着壁６２とを備えて構成されている。装着壁６２の下端部には、ロック片６３が設けられている。このロック片６３は、ゴム栓収容部２５の外周下端部に形成されたロック突起２８に係止可能とされている。ロック片６３がロック突起２８に前方から係止することで、ホルダ６０が端子収容部２１の後端部に取り付け固定される。このとき、一括ゴム栓５０は、ゴム栓収容部２５の奥壁（内壁前面）とホルダ６０の奥壁（蓋部６１の前面）との間に挟持される。
【００２６】
蓋部６１の後面には、図２に示すように、各キャビティ２３に対応して配された複数の電線挿通孔６４が貫通して形成されている。各電線挿通孔６４は、略方形状をなしている。一方、蓋部６１の前面には、複数の後側ずれ防止壁６５が立設されている。この後側ずれ防止壁６５は、電線挿通孔６４の周囲に複数設けられている。後側ずれ防止壁６５において電線挿通孔６４に近い面は、電線４０の外周面とほぼ同形状をなす円弧状とされている。一方、後側ずれ防止壁６５において電線挿通孔６４から遠い面も、電線４０の外周面と同じ円弧状とされている。すなわち、後側ずれ防止壁６５は、前側ずれ防止壁２７と同径同大とされており、かつ、その配置についても前側ずれ防止壁２７と同一とされている。
【００２７】
一括ゴム栓５０は略方形のブロック状とされ、図８に示すように、上下左右に並んで配された複数の貫通孔５１を有している。これらの貫通孔５１は、各キャビティ２３に対応して配されている。したがって、一括ゴム栓５０をゴム栓収容部２５に収容してホルダ６０で保持すると、図４に示すように、キャビティ２３と貫通孔５１と電線挿通孔６４とが前後方向に一直線上に並んで配され、かつ、互いに連通した状態となる。貫通孔５１の内部には、前後方向に並んで配された２条の内周リップ５２が形成されている。一方、一括ゴム栓５０の外周面には、前後方向に並んで配された２条の外周リップ５３が形成されている。
【００２８】
また、一括ゴム栓５０において前側ずれ防止壁２７および後側ずれ防止壁６５と対応する位置には、ずれ防止溝５４が個別に凹設されている。このずれ防止溝５４は、図４に示すように、前側ずれ防止壁２７および後側ずれ防止壁６５がそれぞれ嵌合する。前側ずれ防止壁２７の先端は、前側ずれ防止壁２７とずれ防止溝５４が嵌合した状態では、前側の内周リップ５２の頂点よりも後方に至っており、前側ずれ防止壁２７と前側の内周リップ５２が上下方向に重なるように配置される。同様に、後側ずれ防止壁６５の先端は、後側ずれ防止壁６５とずれ防止溝５４が嵌合した状態では、後側の内周リップ５２の頂点よりも前方に至っており、後側ずれ防止壁６５と後側の内周リップ５２が上下方向に重なるように配置される。
【００２９】
図５に示すように、端子金具３０がキャビティ２３に収容され、電線４０が貫通孔５１に挿通された状態では、内周リップ５２が電線４０の外周面によって押圧され、ゴムが電線４０の外周面から離間する方向に逃げようとする。しかし、内周リップ５２と上下方向に重なる位置に各ずれ防止壁２７、６５が配されているため、ゴムが逃げることを防止できる。この結果、電線４０の外周面に対する内周リップ５２の密着力を十分に得ることができ、電線４０に対するシール性を保持することができる。また、各ずれ防止壁２７、６５における貫通孔５１に沿う面がいずれも円弧状とされているため、電線４０の外周面に対して内周リップ５２を均等に密着させることができる。
【００３０】
また、前後方向に対応する一対のずれ防止壁２７、６５は、その突出端部同士が突き合わせ状態で配されることになるものの、これらが収容される前後一対のずれ防止溝５４は互いに連通しておらず、これらのずれ防止溝５４間には、これらを仕切る壁が残されているため、一括ゴム栓５０の剛性が急激に低下することを回避できる。
【００３１】
本実施形態は以上のような構成であって、続いてその作用を説明する。まず、コネクタ１０の組立手順について説明する。図３に示すように、ハウジング２０のゴム栓収容部２５の内部に一括ゴム栓５０を装着し、さらにホルダ６０をゴム栓収容部２５の外周面に外嵌させることにより、図４に示すように、一括ゴム栓５０をゴム栓収容部２５内に保持させる。続いて、シールリング７０を端子収容部２１の外周面に嵌着した後、フロントリテーナ８０を端子収容部２１の外周面に外嵌させて仮係止位置に装着する。
【００３２】
次に、電線４０の端末に接続された端子金具３０をキャビティ２３に挿入していく。挿入の途中でランス２４を撓み空間Ｓに撓ませつつ、端子金具３０が正規の挿入位置に至ると、図５に示すように、ランス２４が弾性的に復帰して接続部３１の後端角部に後方から係止し、端子金具３０が抜止状態でキャビティ２３に保持される。そして、フロントリテーナ８０を本係止位置へ移動させると、撓み防止片８１が撓み空間Ｓに差し込まれることで、端子金具３０がランス２４と撓み防止片８１の双方によって二重係止される。
【００３３】
このとき、一括ゴム栓５０の内周リップ５２が電線４０の外周面に押圧されて、ゴムが電線４０の外周面から離れる方向に逃げようとするものの、隣り合う一対の貫通孔５１の間に形成されたずれ防止溝５４に各ずれ防止壁２７、６５が差し込まれているため、当該貫通孔５１の隣の貫通孔５１にゴムが逃げることを抑制できる。したがって、端子金具３０を一本ずつキャビティ２３に挿入していくことで、一括ゴム栓５０の貫通孔５１の位置が少しずつ中心からずれていくことを防止できる。また、電線４０の外周面に対する内周リップ５２の密着力を十分に得ることができる。よって、電線４０に対するシール性を保持することができる。
【００３４】
以上のように本実施形態では、端子金具３０をキャビティ２３に挿入した場合に、ずれ防止部（前側ずれ防止壁２７および後側ずれ防止壁６５）によって、一括ゴム栓５０が電線４０の引き出し方向と交差する方向にずれることを防止できる。さらに、複数条の内周リップ５２の全頂点は、ずれ防止部に対して電線４０の引き出し方向と交差する方向に重なるようにして配されているため、電線４０の外周面によって押圧されたゴムが当該電線４０が挿入された貫通孔５１の隣に配された貫通孔５１にずれることを防止できる。したがって、電線４０の外周面に対する内周リップ５２の密着力を十分に得ることができ、電線４０に対するシール性を保持することができる。
【００３５】
ずれ防止部は、ハウジング２０の後面から後方に突出して設けられた前側ずれ防止壁２７と、ホルダ６０の前面から前方に突出して設けられた後側ずれ防止壁６５とからなり、一括ゴム栓５０の前後両面に開設された前後一対のずれ防止溝５４に前側ずれ防止壁２７と後側ずれ防止壁６５とが差し込まれる構成としてもよい。このような構成によると、前側ずれ防止壁２７をずれ防止溝５４に前方から差し込むとともに、後側ずれ防止壁６５をずれ防止溝５４に後方から差し込むことにより、一括ゴム栓５０を前後両側から保持することができる。
【００３６】
複数のキャビティ２３は、上下左右に並んで配されており、ずれ防止部は、上下方向に並んで配された一対のキャビティ２３を区画する隔壁と対応する位置、および左右方向に並んで配された一対のキャビティ２３を区画する隔壁と対応する位置に配されている構成としてもよい。このような構成によると、上下左右に隣り合う電線４０が最も接近する位置にずれ防止部を設けているから、一括ゴム栓５０の貫通孔５１の位置がずれることを効率良く阻止することができる。
【００３７】
左右方向に並んで配された一対のキャビティ２３の間には、一つのずれ防止部が配され、上下方向に並んで配された一対のキャビティ２３の間には、一対のずれ防止部が配されている構成としてもよい。このような構成によると、左右方向に隣り合う一対のキャビティ２３間ピッチを小さくすることができ、左右方向により多くのキャビティ２３を配設することができる。
【００３８】
＜他の実施形態＞
本発明は上記記述及び図面によって説明した実施形態に限定されるものではなく、例えば次のような実施形態も本発明の技術的範囲に含まれる。
（１）上記実施形態では、貫通孔５１の内部に２条の内周リップ５２が設けられているものを例示しているものの、本発明によると、貫通孔の内部に３条以上の内周リップを設けてもよい。
【００３９】
（２）上記実施形態では、前後一対のずれ防止壁２７、６５を設けているものの、本発明によると、いずれか一方のずれ防止壁のみを設けてもよい。
【００４０】
（３）上記実施形態では、上下に隣り合う一対のキャビティ２３間に一対の前側ずれ防止壁２７を設けているものの、本発明によると、一つの前側ずれ防止壁を設けてもよい。
【符号の説明】
【００４１】
１０…コネクタ
２０…ハウジング
２３…キャビティ
２７…前側ずれ防止壁
３０…端子金具
４０…電線
５０…一括ゴム栓
５２…内周リップ
５４…ずれ防止溝
６０…ホルダ
６５…後側ずれ防止壁
【図１】
2014063683.tif 000003
【図２】
2014063683.tif 000004
【図３】
2014063683.tif 000005
【図４】
2014063683.tif 000006
【図５】
2014063683.tif 000007
【図６】
2014063683.tif 000008
【図７】
2014063683.tif 000009
【図８】
2014063683.tif 000010
【図９】
2014063683.tif 000011
【図１０】
2014063683.tif 000012